(57)【特許請求の範囲】
【請求項１】
有効繊維長１．３８インチ以下で、繊度３．７ＭＩＫ以上の綿１００％の原綿から得られた３本の粗糸を、トランペットに備えられた等間隔の穴を通して並列に供給し、並列に供給された３本の粗糸を、最低上下３対のローラーを含むドラフト装置でドラフトし、ドラフト装置から供給される３本の粗糸にリング精紡機により撚りを与えつつ同一方向に交撚して、３０番手以下の糸をボビンに巻き取る精紡方法であって、この糸は、ＪＩＳのＬ−１０９５に従って求められる糸の太むらが０であり、ＪＩＳのＬ−１０９５に従って求められる糸の細むらが１．６以下である、精紡方法。
【請求項２】
有効繊維長１．３８インチ以下で、繊度３．７ＭＩＫ以上の綿１００％の原綿から得られた３本の粗糸を、トランペットに備えられた等間隔の穴を通して並列に供給し、並列に供給された３本の粗糸を、最低上下３対のローラーを含むドラフト装置でドラフトし、ドラフト装置から供給される３本の粗糸にリング精紡機により撚りを与えつつ同一方向に交撚して得られる３０番手以下の糸であって、ＪＩＳのＬ−１０９５に従って求められる糸の太むらが０であり、ＪＩＳのＬ−１０９５に従って求められる糸の細むらが１．６以下である、糸。
【請求項３】
請求項２に記載された糸を用いて製織または製編して得られた織編物。
【発明の詳細な説明】
【０００１】
【発明の属する技術分野】
本発明は、綿糸などの精紡に関する。
【０００２】
【従来の技術】
綿糸などの精紡において、原綿からスライバーがカード機などで作られる。スライバーとは、撚りのない帯状またはロープ状にした繊維の集合体をいう。次に、スライバーを所定の太さまで引き伸ばすと共に繊維を平行にし、次工程への供給に適当な強度を持たせるために撚りをかけて巻き取る。この状態の糸を粗糸という。粗糸とは、精紡の準備のためにスライバーから作られた比較的細い繊維の集合体である。次に、粗糸を所要の太さに引き延ばし、適当な撚りを与えてボビンに巻き取る。最後に、精紡管糸に撚りを加えつつ次工程に合ったパッケージに巻き取る。
【０００３】
【発明が解決しようとする課題】
特開平８−１７６９０３号公報に記載されたハンカチ生布の製造方法では、２本の粗糸を精紡交撚せしめて紡績糸を製造する。これにより、高価な双糸とほぼ同等のソフトな風合と優れた光沢を出すことができ、また、強度面も向上した。なお、双糸とは、２本の単糸を合せて交撚したものである。しかし、紡績糸において、糸の均整度をさらに上げ、また、製品にしたときの光沢をさらに上げることが望まれる。
【０００４】
この発明の目的は、均整度や光沢をさらに上げた紡績糸を提供することである。
【０００５】
【課題を解決するための手段】
本発明に係る精紡方法では、有効繊維長１．３８インチ以下で、繊度３．７ＭＩＫ以上の綿１００％の原綿から得られた３本の粗糸を、トランペットに備えられた等間隔の穴を通して並列に供給し、並列に供給された３本の粗糸を、最低上下３対のローラーを含むドラフト装置でドラフトし、ドラフト装置から供給される３本の粗糸にリング精紡により撚りを与えつつ同一方向に交撚して、３０番手以下の番手の糸をボビンに巻き取る。この糸は、ＪＩＳのＬ−１０９５に従って求められる糸の太むらが０であり、ＪＩＳのＬ−１０９５に従って求められる糸の細むらが１．６以下である。
【０００６】
本発明に係る糸は、有効繊維長１．３８インチ以下で、繊度３．７ＭＩＫ以上の綿１００％の原綿から得られた３本の粗糸を、トランペットに備えられた等間隔の穴を通して並列に供給し、並列に供給された３本の粗糸を、最低上下３対のローラーを含むドラフト装置でドラフトし、ドラフト装置から供給される３本の粗糸にリング精紡により撚りを与えつつ同一方向に交撚して得られる３０番手以下の番手の糸であって、ＪＩＳのＬ−１０９５に従って求められる糸の太むらが０であり、ＪＩＳのＬ−１０９５に従って求められる糸の細むらが１．６以下である糸である。また、本発明に係る織編物は、この糸を用いて製織または製編して得られた織編物である。
【００１０】
【発明の実施の形態】
以下、添付の図面を参照して本発明の実施の形態を説明する。
綿糸の精紡について説明すると、まず、混打綿工程において、原綿の繊維塊を解きほぐし、梳綿工程において、繊維に含まれている不純物を除去して、繊維をある程度平行な状態に束ねる。このような状態をカードスライバーという。さらに、用途によっては精梳綿工程において、短い繊維を取り除き、残った繊維の平行度と均整度を高め、ひも状にする。このような状態をコーマスライバーという。さらに、練条工程では、複数本のカードスライバーまたはコーマスライバーを併合させて引き伸ばし、長手方向の太さむらを無くす。このような状態を練条スライバーという。スライバーとは、撚りのない帯状またはロープ状にした繊維の集合体をいい、上述のようにカード機、コーマ機、練条機で作られる。次に、粗紡工程において、スライバーを所定の太さまで引き伸ばすと共に繊維を平行にし、次工程への供給に適当な強度を持たせるために撚りをかけてボビンに巻き取る。この状態を粗糸という。粗糸とは、精紡の準備のためにスライバーから作られた比較的細い繊維の集合体である。次に、精紡工程において、粗糸を所要の太さに引き延ばし、適当な撚りを与えてボビンに巻き取る。この状態の糸を精紡管糸という。最後に、仕上工程において、精紡管糸を十数本継ぎ足し、更に長い連続した糸としてパッケージに巻き返すと共に、糸に含まれる基準番手に対して太い箇所や細い箇所等の欠点を除去する。
【００１１】
精紡工程では、精紡機を用いて紡績糸を製造する。本発明では、粗紡工程で得られた粗糸を３本並列に供給し、それらを合わせて３本の精紡交撚糸とする。すなわち、３本の粗糸を精紡交撚せしめて１本の紡績糸を製造する。精紡機として、図１に示すリング精紡機を使用する場合について説明する。リング精紡機は、バックローラー１８、２０からフロントローラー３２、３４までのドラフト装置と、スネルワイヤー３８からトラベラー４０までの加撚巻取装置からなる。ドラフト装置は、粗糸をドラフトし、巻取装置は、ドラフトされた粗糸を撚りを与えつつ同一方向に交撚し、得られた糸をボビンに巻き取る。
【００１２】
さらに詳細に説明すると、図示しないボビンから３本の粗糸１０，１２，１４が、３本の粗糸の繊維束を分散する穴を設けた１個のトランペット１６を通して供給されると、粗糸１０，１２，１４をそれぞれ上下のバックローラー１８、２０の間に導入して所定速度で通過させる。
【００１３】
ここで、トランペット１６には、３つの穴が１列に等間隔に設けられている。穴の形状は、入口側が広く、しだいに狭くなり、出口側では狭いが同じ幅の溝となっている。穴の間隔は番手に依存して適正に設定する。たとえば、英式綿番手３０番手より太い番手は、３〜５mmの穴の間隔が最適である。３mmより狭いと繊維束がドラフト装置内で重なってしまい、ドラフト不良が起こるか、または、最終のフロントローラー３２，３４を出た後のフリース３６が３つに分散されず、本発明の目的である均整度や光沢を更に上げた紡績糸を得ることが出来ない。５mmより広いとドラフト装置内で繊維束が重なるという現象は起こらないが、最終フロントローラーを出た後に、それぞれのフリースが１本に結合されず、所用の番手を得ることが困難になり、また目的の紡績糸を得ることができない。３０番手より細い番手では、穴の間隔は２〜３mmが最適である。２mmより狭いときや、３mmより広いときでは前述したような現象が起こり、本発明の目的とする紡績糸を得ることが出来ない。
【００１４】
次に、粗糸を上下のエプロンを有するセカンドローラー（すなわち、セカンドローラー２２、２４およびそれと共に動作する上下のエプロン２６、２８）の間を通す。ここで繊維束をしっかりと把持して加重をかけ、ドラフトむらのないように制御しながらドラフトする。
【００１５】
エプロン２６、２８を通過した３本の粗糸は、次に、それぞれ、コレクタ３０に設けた凹部を通すことにより適当な間隔に保つ。図２と図３は、コレクター３０の構造を示す。粗糸は、コレクター３０に設けた３つの溝を通って、それぞれ最後のローラー（フロントローラー３２、３４）に案内される。３つの溝は、図２と図３に示す２つの面にわたって連続的に形成されていて、いずれも入口側が広く、しだいに狭くなり、出口側では狭いが同じ幅の溝となっている。なお、コレクタ３０は、フロントローラー３２、３４の近くに設置される。
【００１６】
コレクター３０を使用する目的は、各粗糸がドラフト装置を通過するときに各繊維束の重なりを防ぐためと、フロントローラー３２，３４から出たフリース３６が切れることなく１本に結合されるためである。各粗糸が通過する溝の巾と番手との関係は、トランペット１６の穴の間隔と同一である。
【００１７】
次に、３本の粗糸を上下のフロントローラー３２、３４の間を通過させてドラフトして、薄い層状のフリース３６を形成する。
【００１８】
フロントローラー３２、３４から出てきたフリース３６は、次に、スネルワイヤー３８を通過させる。次いでリング精紡により、トラベラー４０によって、トラベラー１回転で１回の割合で撚りをかけ、得られた糸（精紡管糸）を管糸ボビン４２に巻き取る。
【００１９】
このようにして３本の粗糸より得られた精紡交撚糸は、１本の粗糸からなる紡績糸または２本の粗糸からなる精紡交撚糸に比べて、毛羽の数が少なくなり、糸の均整度がさらにあがる。また、長手方向にさらに糸の丸みがでてきて、太さのばらつきが減る。このため、この精紡交撚糸から得られた生地は、糸の乱反射がなくなり、生地面がきれいになり、また、ハリコシがある。
【００２０】
この精紡交撚糸を用いて、製織または製編することにより織編物（織物と編物を含む総称）の生地が得られる。後で説明される実施例のように、得られた織編物は、糸の均整度に優れ毛羽が少なく、また、風合い、光沢感において優れている。これは、得られた紡績糸の対称性が高いためと考えられる。３本の粗糸を撚り合わすので、３回対称の糸が得られる。図４に図式的に示すように３本の粗糸(実際にはフリース）が１２０度の角度で組み合わされて、撚りを与えられて１本に結合されていくので、得られた紡績糸も３回対称性を有している。（また、糸や生地を分析することにより、３本の粗糸から製造された紡績糸であるか否かが判別できる。）これに対し、従来の２本の粗糸を交撚した紡績糸からは２回対称の糸が得られる。２回対称と３回対称と比べると分かるように、３回対称の方がはるかに円対称に近いため、得られた糸において、毛羽がさらに減少し、糸の均整度がはるかに向上し、長手方向にさらに糸の丸みを帯びたと考えられる。また、これを反映して製品の風合いや光沢感がよくなっている。
【００２１】
なお、紡績糸の素材の繊維については特に限定せず、綿のほか、合成繊維（ポリエステル、アクリル、ナイロンなど）、再生繊維(レーヨンなど)、天然繊維（麻など）、獣毛（羊毛など）が使用できる。
【００２２】
３本の粗糸の素材をそれぞれ変えて組み合わせ、紡績することで、色々な表情を持つ製品を得ることも出来る。たとえば、３本の粗糸の内の１本をポリエステル１００％、他の２本を綿１００％にして製造された精紡交撚糸は、製織または製編の後に、綿だけを染色することで、今までにない微細な霜降り感を表現する製品を提供できる。
【００２３】
なお、４本以上の粗糸を精紡交撚することも考えられるが、精紡機の構成と作業性・生産性を考慮すると、実用上は３本の粗糸を交撚するのが適している。
【００２４】
【実施例】
以下に、この精紡交撚糸の製造の例を説明する。有効繊維長１．３８インチ、繊度３．７ＭＩＫの原綿１００％を、混打綿工程、梳綿工程、清流綿工程、練条工程を経て練条スライバーとして、これに撚りをかけながらボビンに巻き取る粗紡工程を経て粗糸とし、３本の粗糸を図１に示すリング精紡機にて精紡交撚せしめた紡績糸（英式綿番手３０番手）を製造した。その紡績糸を経糸・緯糸に使用して経糸密度１５０本/インチ、緯糸密度８０本/インチの織物を製造した。なお、比較例１として、同じ原綿１００％の粗糸を２本使用して精紡交撚せしめた紡績糸（英式綿番手３０番手）を製造し、実施例と同一な織り組織の織物と、また、比較例２として、同じ原綿１００％の１本の粗糸から精紡した単糸も製造し、実施例と同一な織物を製造した。
【００２５】
表１は、製造した交撚糸（実施例及び比較例）の特性を示す。
【表１】
0003967622.tif 000002
【００２６】
なお、糸の性能は次のようにして測定した。
１．単糸強力は、ＪＩＳのＬ−１０９５の９.５.１に従って定速伸長形試験機にて６０回の試験を繰り返し、その平均値と、最低の値を示した６回の平均値を求めた。
２．糸の太さむら（ＩＰＩ）の測定では、ＪＩＳのＬ−１０９５の９.２０.２のＢ法に従って糸速度４００m/min で３回試験を行なってTHIN（太むら）、 THICK（細むら）、NEP（ネップ）についての個数を求めた。
３．糸の太さむら（Ｕ）は、ＪＩＳのＬ-１０９５の９.２０.１のＡ法に従って評価した。
４．毛羽は、ＪＩＳのＬ−１０９５の９.２２.２に従って３mm，５mmの長さの毛羽の個数を求めた。
５．風合いは、ハンドリングテストにより生地のハリコシについて測定した。
６．光沢は、視覚テストにより測定した。なお、風合いと光沢において、○、△、×は優、普通、悪いの３段階評価を表わす。
【００２７】
表１に示すように、糸の均整度（U%、IPI）、毛羽の各性能とも、本実施例の精紡交撚糸が、比較例の精紡交撚糸、単糸と比べて良い数値を示している。また、本実施例の精紡交撚糸から得られた生地は、比較例の生地と比べ、風合い、光沢感において優れている。
【００２８】
【発明の効果】
本発明の精紡装置で得られた糸は、２本の粗糸から製造した糸に比べて、毛羽の数がさらに少なくなり、糸の均整度がさらにあがり、長手方向にさらに糸の丸みがでてくる。また、この糸から得られた織編物は、糸の乱反射がなくなるため生地ズラがきれいになり、また、ハリコシがある。
【図面の簡単な説明】
【図１】  精紡機の概略を示す図
【図２】  コレクターの正面図
【図３】  コレクターの平面図
【図４】  ３本の糸の組合せを図式的に示す図
【符号の説明】
１０、１２、１４  粗糸、    １６  トランペット、    １８、２０  バックローラー、    ２２，２４  セカンドローラー、    ２６，２８  エプロン、  ３０  コレクター、    ３２、３４  フロントローラー、    ４０  トラベラー、    ４２  ボビン。
【図１】
0003967622.tif 000003
【図２】
0003967622.tif 000004
【図３】
0003967622.tif 000005
【図４】
0003967622.tif 000006